(57)【要約】  【課題】  インターネットを介した電子メール型のファクシミリ送信を行う場合、優先順位を下げて送信することで、公衆回線網を介した通常のファクシミリ送信を優先することができるインターネットファクシミリ装置を提供すること。  【解決手段】  送信文書に送信開始時刻が指定された場合（Ｓ１１；Ｙ）、通常のファクシミリ送信の場合は（Ｓ１２；Ｙ）送信時刻に「指定された時刻」を優先度に「普通」を設定するが（Ｓ１３）、電子メール型のファクシミリ送信の場合は（Ｓ１２；Ｎ）送信時刻に「即時」を優先度に「低い」を設定する（Ｓ１４）。また送信開始時刻が指定されなかった場合も（Ｓ１１；Ｎ）、電子メール型のファクシミリ送信より通常のファクシミリ送信を優先する（Ｓ１５〜１７）。同様に、送信文書に優先送信が指定された場合にも、電子メール型のファクシミリ送信より通常のファクシミリ送信を優先する仕組みとする。  【選択図】  図３
2005079703.tif 000002
【特許請求の範囲】
【請求項１】
公衆回線網を介した通常のファクシミリ送受信機能と、インターネットを介した電子メール型のファクシミリ送受信機能と、を備えたインターネットファクシミリ装置において、
ファクシミリ送信する文書に送信時刻を設定する送信時刻設定手段と、
ファクシミリ送信する文書に優先度を設定する優先度設定手段と、
前記送信時刻設定手段にて設定された送信時刻と前記優先度設定手段にて設定された優先度に基づいてファクシミリ送信する文書の送信順序を決定する送信順序決定手段と、を備え、
前記優先度設定手段は、インターネットを介してファクシミリ送信する文書よりも公衆回線網を介してファクシミリ送信する文書に高い優先度を設定し、
前記送信時刻設定手段は、送信文書作成時に送信時刻が指定された場合、公衆回線網を介してファクシミリ送信する文書についてのみ指定された送信時刻を有効にすることを特徴とするインターネットファクシミリ装置。
【請求項２】
公衆回線網を介した通常のファクシミリ送受信機能と、インターネットを介した電子メール型のファクシミリ送受信機能と、を備えたインターネットファクシミリ装置において、
ファクシミリ送信する文書に送信時刻を設定する送信時刻設定手段と、
ファクシミリ送信する文書に優先度を設定する優先度設定手段と、
前記送信時刻設定手段にて設定された送信時刻と前記優先度設定手段にて設定された優先度に基づいてファクシミリ送信する文書の送信順序を決定する送信順序決定手段と、を備え、
前記優先度設定手段は、インターネットを介してファクシミリ送信する文書よりも公衆回線網を介してファクシミリ送信する文書に高い優先度を設定し、送信文書作成時に優先送信が指定された場合、公衆回線網を介してファクシミリ送信する文書についてのみ指定された優先送信を有効にすることを特徴とするインターネットファクシミリ装置。
【発明の詳細な説明】
【技術分野】
【０００１】
本発明は、公衆回線網を介した通常のファクシミリの送受信と、インターネットを介した電子メール型のファクシミリの送受信と、を行うインターネットファクシミリ装置に関する。
【背景技術】
【０００２】
従来のファクシミリ装置は、公衆回線網を介したファクシミリの送受信を行うのみであったが、近年のインターネットの普及に伴い、公衆回線網を介した通常のファクシミリの送受信に加え、インターネットを介した電子メール型のファクシミリの送受信を行うことが可能な、インターネットファクシミリ装置が一般的となってきている。このインターネットファクシミリ装置においてファクシミリ送信を行う際、送信先の装置に通常のファクシミリ送信と電子メール型のファクシミリ送信との両方を適用できる場合には、通信料金をより低減できる送信方法を選択する必要がある。この対策としての技術が、下記の特許文献に開示されている。
【０００３】
【特許文献１】特願２０００−３５４０５８公報
【０００４】
特許文献１は、ファクシミリ送信を行う際、送信先の装置に公衆回線網を介した通常のファクシミリ送信とインターネットを介した電子メール型のファクシミリ送信との両方を適用できる場合には、通常の通信料金と電子メール型の通信料金とを予測して、ユーザーにその予測結果を通知し、いずれの通信手段を使用するか選択させるようにすることで、より通信料金の安い通信手段を適用して通信コストを削減することができるネットワークファクシミリ装置およびその制御方法について述べている。
【発明の開示】
【発明が解決しようとする課題】
【０００５】
しかしながら、特許文献１では、インターネットを介した電子メール型のファクシミリ送信は、ダイアルアップによりインターネットに接続することを前提としている。このダイアルアップによりインターネットに接続する場合は、通信時間に応じて通信料金が課金される。そこでこのダイアルアップの代替手段として、最近ではＡＤＳＬ、ＣＡＴＶ、光回線、企業では専用回線等による、高速、かつ安価なインターネットに常時接続する方法が普及している。これらのＡＤＳＬ、ＣＡＴＶ、光回線、専用回線等によりインターネットに接続する場合は、通信時間に応じた通信料金はなく、利用料金が定額であるため、特許文献１のように、電子メール型の通信料金を予測する必要はない。
また、公衆回線網を介した通常のファクシミリ送信を行う場合には、指定時刻に送信することにより通信料金の安い時間帯に送信して通信コストを削減することが可能であるが、定額制の接続方法によりインターネットを介した電子メール型のファクシミリ送信を行う場合には、指定時刻に送信することによるメリットはない。
更に、インターネットを介した電子メール型のファクシミリ送信を行う場合には、送信先がいつ電子メールを受信するか分からないため即時性は低い。
【０００６】
そこで、本発明の目的は、インターネットを介した電子メール型のファクシミリ送信を行う場合には、送信順序のスケジューリングの優先順位を下げて空き時間に送信することで、公衆回線網を介した通常のファクシミリ送信を優先し、装置のシステム負荷を軽減することができるインターネットファクシミリ装置を提供することである。
【課題を解決するための手段】
【０００７】
請求項１記載の発明は、公衆回線網を介した通常のファクシミリ送受信機能と、インターネットを介した電子メール型のファクシミリ送受信機能と、を備えたインターネットファクシミリ装置において、ファクシミリ送信する文書に送信時刻を設定する送信時刻設定手段と、ファクシミリ送信する文書に優先度を設定する優先度設定手段と、前記送信時刻設定手段にて設定された送信時刻と前記優先度設定手段にて設定された優先度に基づいてファクシミリ送信する文書の送信順序を決定する送信順序決定手段と、を備え、前記優先度設定手段は、インターネットを介してファクシミリ送信する文書よりも公衆回線網を介してファクシミリ送信する文書に高い優先度を設定し、前記送信時刻設定手段は、送信文書作成時に送信時刻が指定された場合、公衆回線網を介してファクシミリ送信する文書についてのみ指定された送信時刻を有効にすることを特徴とすることにより、前記目的を達成する。
【０００８】
請求項２記載の発明は、公衆回線網を介した通常のファクシミリ送受信機能と、インターネットを介した電子メール型のファクシミリ送受信機能と、を備えたインターネットファクシミリ装置において、ファクシミリ送信する文書に送信時刻を設定する送信時刻設定手段と、ファクシミリ送信する文書に優先度を設定する優先度設定手段と、前記送信時刻設定手段にて設定された送信時刻と前記優先度設定手段にて設定された優先度に基づいてファクシミリ送信する文書の送信順序を決定する送信順序決定手段と、を備え、前記優先度設定手段は、インターネットを介してファクシミリ送信する文書よりも公衆回線網を介してファクシミリ送信する文書に高い優先度を設定し、送信文書作成時に優先送信が指定された場合、公衆回線網を介してファクシミリ送信する文書についてのみ指定された優先送信を有効にすることを特徴とすることにより、前記目的を達成する。
【発明の効果】
【０００９】
請求項１記載のインターネットファクシミリ装置によれば、インターネットを介した電子メール型のファクシミリ送信の場合、通信料金は必要ないため指定時刻に送信するメリットはない。そこでインターネットを介した電子メール型のファクシミリ送信を行う場合には、送信順序のスケジューリングの優先順位を下げて空き時間に送信することで、公衆回線網を介した通常のファクシミリ送信を優先し、装置のシステム負荷を軽減することができる。
【００１０】
請求項２記載のインターネットファクシミリ装置によれば、インターネットを介した電子メール型のファクシミリ送信の場合、送信先がいつ電子メールを受信するか分からないため即時性は低い。そこでインターネットを介した電子メール型のファクシミリ送信を行う場合には、送信順序のスケジューリングの優先順位を下げて空き時間に送信することで、即時性の高い公衆回線網を介した通常のファクシミリ送信を優先し、装置のシステム負荷を軽減することができる
【発明を実施するための最良の形態】
【００１１】
以下、本発明の好適な実施の形態について図１ないし図５を参照して詳細に説明する。
図１は、本発明の実施の形態に係るインターネットファクシミリ装置のシステム構成例を示したブロック図である。図１を参照すると、本発明の実施の形態に係るインターネットファクシミリ装置は、システム制御部１、システムメモリー部２、読取部３、印刷部４、文書蓄積部５、通信制御部６、操作部７、メール制御部８、ネットワーク制御部９等により構成されている。
【００１２】
システム制御部１は、インターネットファクシミリ装置のシステム全体を監視制御し、システムメモリー部２は、インターネットファクシミリ装置に予め登録される情報や通信に必要なデータを一時的に格納する。読取部３は、ファクシミリ送信する文書の画像の読み取りを行い、印刷部４は、ファクシミリ受信した文書の画像を記録紙に出力する。また文書蓄積部５は、読取部３にて読み取ったファクシミリ送信する文書の画像やファクシミリ受信した文書の画像を格納する。通信制御部６は、ファクシミリの国際通信規格であるＧ３、Ｇ４に基づく通信制御、ファクシミリ送受信する画像情報の圧縮再生制御、モデム制御、ＮＣＵ（ネットワークコントロールユニット）制御等を行う。操作部７は、ユーザーが各種操作を行うためのユーザーインタフェース部である。更にメール制御部８は、電子メールを作成したり、ファクシミリ送信する文書を電子メールの添付文書として作成したりし、ネットワーク制御部９は、ＬＡＮ（ローカルエリアネットワーク）への接続を行う。
【００１３】
図２は、本発明の実施の形態に係るインターネットファクシミリ装置におけるファクシミリ送信の処理概要を説明した図である。図２を参照すると、本発明の実施の形態に係るインターネットファクシミリ装置であるＦＡＸ：Ａは、公衆回線網とインターネットへの接続が可能である。なお、インターネットへの接続は定額制の接続方法により行うものとする。
公衆回線網を介して通常のファクシミリ送信を行う場合は、通信料金は通信毎に通信時間に応じて課金される。また、この場合は直接ＦＡＸ：Ｃとファクシミリ交信を行うため、即時性が高い処理となる。
一方、インターネットを介して電子メール型のファクシミリ送信を行う場合は、通信毎の課金はない。また、この場合は電子メールはメールサーバに保存され、この電子メールをＦＡＸ：ＢやＰＣが受信するタイミングは不確定であるため、即時性が低い処理となる。
続いて、本発明の実施の形態に係るインターネットファクシミリ装置にてファクシミリ送信する際に行う、送信文書作成と送信文書検索の処理手順を実施例毎に説明する。
【実施例１】
【００１４】
図３は、第１の実施例の送信文書作成の処理手順を示したフローチャートである。
インターネットファクシミリ装置より送信文書を作成する場合、１つまたは複数の宛先を指定するが、このとき送信文書の送信開始時刻を指定することができる。そこで、まず送信文書の送信開始時刻が指定されたか否かを判断する（ステップ１１）。送信文書の送信開始時刻が指定された場合（ステップ１１；Ｙ）、公衆回線網を介した通常のファクシミリ送信かインターネットを介した電子メール型のファクシミリ送信かを、宛先に電話番号が設定されているか電子メールアドレスが設定されているかで判断する（ステップ１２）。通常のファクシミリ送信であった場合（ステップ１２；Ｙ）、送信時刻には「指定された時刻（例２３：００）」を、優先度には「普通」を設定する（ステップ１３）。また、電子メール型のファクシミリ送信であった場合（ステップ１２；Ｎ）、送信時刻には「即時」を、優先度には「低い」を設定する（ステップ１４）。
一方、送信文書の送信開始時刻が指定されなかった場合（ステップ１１；Ｎ）、公衆回線網を介した通常のファクシミリ送信かインターネットを介した電子メール型のファクシミリ送信かを、宛先に電話番号が設定されているか電子メールアドレスが設定されているかで判断する（ステップ１５）。通常のファクシミリ送信であった場合（ステップ１５；Ｙ）、送信時刻には「即時」を、優先度には「普通」を設定する（ステップ１６）。また、電子メール型のファクシミリ送信であった場合（ステップ１５；Ｎ）、送信時刻には「即時」を、優先度には「低い」を設定する（ステップ１７）。
【実施例２】
【００１５】
図４は、第２の実施例の送信文書作成の処理手順を示したフローチャートである。
インターネットファクシミリ装置より送信文書を作成する場合、１つまたは複数の宛先を指定するが、このとき送信文書に優先送信を指定することができる。そこで、まず送信文書に優先送信が指定されたか否かを判断する（ステップ２１）。送信文書に優先送信が指定された場合（ステップ２１；Ｙ）、公衆回線網を介した通常のファクシミリ送信かインターネットを介した電子メール型のファクシミリ送信かを、宛先に電話番号が設定されているか電子メールアドレスが設定されているかで判断する（ステップ２２）。通常のファクシミリ送信であった場合（ステップ２２；Ｙ）、送信時刻には「即時」を、優先度には「高い」を設定する（ステップ２３）。また、電子メール型のファクシミリ送信であった場合（ステップ２２；Ｎ）、送信時刻には「即時」を、優先度には「普通」を設定する（ステップ２４）。
一方、送信文書に優先送信が指定されなかった場合（ステップ２１；Ｎ）、公衆回線網を介した通常のファクシミリ送信かインターネットを介した電子メール型のファクシミリ送信かを、宛先に電話番号が設定されているか電子メールアドレスが設定されているかで判断する（ステップ２５）。通常のファクシミリ送信であった場合（ステップ２５；Ｙ）、送信時刻には「即時」を、優先度には「普通」を設定する（ステップ２６）。また、電子メール型のファクシミリ送信であった場合（ステップ２５；Ｎ）、送信時刻には「即時」を、優先度には「低い」を設定する（ステップ２７）。
【実施例３】
【００１６】
図５は、第１の実施例と第２の実施例にて作成した送信文書を検索する処理手順を示したフローチャートである。
インターネットファクシミリ装置は、定期的に送信待機文書が存在するか否かをチェックする（ステップ３１）。送信待機文書が存在する場合（ステップ３１；Ｙ）、送信時刻が「即時」のもの、または「指定された時刻」を経過しているものが送信待機文書に存在するか否かをチェックする（ステップ３２）。送信時刻が「即時」のもの、または「指定された時刻」を経過しているものが送信待機文書に存在する場合（ステップ３２；Ｙ）、ファクシミリ送信を行うが、複数存在する場合は、優先度を考慮して優先度の高いものから順に送信文書を決定し（ステップ３３）、ファクシミリ送信を開始する（ステップ３４）。
一方、送信待機文書が存在しない場合（ステップ３１；Ｎ）や、送信時刻が「即時」のもの、または「指定された時刻」を経過しているものが送信待機文書に存在しない場合（ステップ３２；Ｎ）は、今回の送信文書検索処理を終了し、一定時間後に再度送信文書検索処理を開始する。
【００１７】
以上説明を行った通り、実施例１と実施例２に示した手順でファクシミリ送信する文書を作成し、実施例３に示した手順でファクシミリ送信する文書を検索、送信することで、インターネットを介したファクシミリ送信よりも、即時性の高い公衆回線網を介したファクシミリ送信を優先することができる。
【図面の簡単な説明】
【００１８】
【図１】本発明の実施の形態に係るインターネットファクシミリ装置のシステム構成例を示したブロック図である。
【図２】本発明の実施の形態に係るインターネットファクシミリ装置におけるファクシミリ送信の処理概要を説明した図である。
【図３】第１の実施例の送信文書作成の処理手順を示したフローチャートである。
【図４】第２の実施例の送信文書作成の処理手順を示したフローチャートである。
【図５】送信文書検索の処理手順を示したフローチャートである。
【符号の説明】
【００１９】
１  システム制御部
２  システムメモリー部
３  読取部
４  印刷部
５  文書蓄積部
６  通信制御部
７  操作部
８  メール制御部
９  ネットワーク制御部
【図１】
2005079703.tif 000003
【図２】
2005079703.tif 000004
【図３】
2005079703.tif 000005
【図４】
2005079703.tif 000006
【図５】
2005079703.tif 000007